(57)【特許請求の範囲】
【請求項１】
試料液をセットした分析用デバイスをターンテーブルにセットし、前記ターンテーブルを回動させて前記試料液を分析用デバイス内で移送して分析または遠心分離する分析用デバイス駆動装置であって、
前記ターンテーブルとで前記分析用デバイスを挟持するクランパと、
前記クランパを前記ターンテーブルに近接する方向に押圧する付勢手段と、
前記ターンテーブルとで前記分析用デバイスを挟持した状態の前記クランパの軸心上に位置し前記クランパが前記付勢手段の付勢力に抗して前記ターンテーブルから許容値を超えて浮き上がった場合に限って当接して前記分析用デバイスが前記ターンテーブルから外れることを規制するストッパー手段と
を設け、
前記ターンテーブルへの分析用デバイスの着脱に際して開閉される開閉蓋を有し、
前記付勢手段が、前記ターンテーブルの径方向に長く配設され先端が前記クランパの軸心に当接する板バネで構成され、
前記ストッパー手段として、前記開閉蓋の内面に設けられ前記クランパが前記板バネの付勢力に抗して前記ターンテーブルから許容値を超えて浮き上がった場合に前記板バネを介して前記クランパの軸心に当接する高さの凸部を設けた
分析用デバイス駆動装置。
【請求項２】
請求項１記載の分析用デバイス駆動装置を備え、
分析用デバイスの内部の試料液と試薬との反応物にアクセスして特定成分を読み取るように構成した分析装置。
【発明の詳細な説明】
【技術分野】
【０００１】
本発明は、生物などから採取した液体の分析に使用する分析用デバイスなどがセットされる分析用デバイス駆動装置に関する。
【背景技術】
【０００２】
従来、生物などから採取した液体を分析する方法として、液体流路を形成した分析用デバイスを用いて分析する方法が知られている。分析用デバイスは、回転装置を使って流体の制御をすることが可能であり、遠心力を利用して、試料液の希釈、溶液の計量、固体成分の分離、分離された流体の移送分配、溶液と試薬の混合等を行うことができるため、種々の生物化学的な分析を行うことが可能である。
【０００３】
遠心力を利用して溶液を移送する特許文献１に記載の分析用デバイス５０は、図１５に示すように注入口５１からピペットなどの挿入器具によって試料液を計量室５２へ注入し、計量室５２の毛細管力で試料液を保持した後、分析用デバイス５０の回転によって、試料液を分離室５３へ移送するように構成されている。このような遠心力を送液の動力源とする分析用デバイスは、円盤形状にすることで送液制御を行うためのマイクロチャネルを放射状に配置でき、無駄な面積が発生しないため好ましい形状として用いられる。
【０００４】
分析用デバイス５０が着脱自在にセットされ、セットされた分析用デバイス５０を回転駆動する分析用デバイス駆動装置として、図１６と図１７の構成を考えることができる。
これは図１６に示すように、試料液をセットした分析用デバイス１をターンテーブル１０１にセットし、開閉蓋１０３を閉じた状態で分析用デバイス１をクランパ１１６とで挟持し、ターンテーブル１０１を回動させて前記試料液を分析用デバイス１の内部で移送して分析、または遠心分離する。
【０００５】
図１７は分析用デバイス１をターンテーブル１０１にセットして開閉蓋１０３を閉じた状態を示す。図１７において開閉蓋１０３は支持軸１１４の回りに回動して開閉できる。
ターンテーブル１０１の上面に溝１０２を形成し、分析用デバイス１をターンテーブル１０１にセットした状態では分析用デバイス１の係合部１５が溝１０２に係合している。ターンテーブル１０１に分析用デバイス１をセットして、ターンテーブル１０１を回転させる前に開閉蓋１０３を閉じると、セットされた分析用デバイス１は、開閉蓋１０３の側に設けられたクランパ１１６によって、ターンテーブル１０１の回転軸心上の位置がバネ１０５の付勢力でターンテーブル１０１の側に押圧し、分析用デバイス１を、回転駆動手段１０６によって回転駆動されるターンテーブル１０１と一体に回転させる。８はターンテーブル１０１の回転中の軸心を示している。
【特許文献１】特表平７−５００９１０号公報（図１）
【発明の開示】
【発明が解決しようとする課題】
【０００６】
しかし、図１７に挙げた構成では、高速回転中の分析用デバイス１に振動または衝撃などの外力が作用した場合には、分析用デバイス１がターンテーブル１０１から浮き上がって、分析用デバイス１がターンテーブル１０１から外れる障害が発生する。
【０００７】
本発明は、運転中に外力が作用しても、高速回転中の分析用デバイスがターンテーブルから外れるような障害の発生を回避できる安全性の高い分析用デバイス駆動装置を提供することを目的とする。
【課題を解決するための手段】
【０００９】
本発明の請求項１記載の分析用デバイス駆動装置は、試料液をセットした分析用デバイスをターンテーブルにセットし、前記ターンテーブルを回動させて前記試料液を分析用デバイス内で移送して分析または遠心分離する分析用デバイス駆動装置であって、前記ターンテーブルとで前記分析用デバイスを挟持するクランパと、前記クランパを前記ターンテーブルに近接する方向に押圧する付勢手段と、前記ターンテーブルとで前記分析用デバイスを挟持した状態の前記クランパの軸心上に位置し前記クランパが前記付勢手段の付勢力に抗して前記ターンテーブルから許容値を超えて浮き上がった場合に限って当接して前記分析用デバイスが前記ターンテーブルから外れることを規制するストッパー手段とを設け、前記ターンテーブルへの分析用デバイスの着脱に際して開閉される開閉蓋を有し、前記付勢手段が、前記ターンテーブルの径方向に長く配設され先端が前記クランパの軸心に当接する板バネで構成され、前記ストッパー手段として、前記開閉蓋の内面に設けられ前記クランパが前記板バネの付勢力に抗して前記ターンテーブルから許容値を超えて浮き上がった場合に前記板バネを介して前記クランパの軸心に当接する高さの凸部を設けたことを特徴とする。
【００１３】
本発明の請求項２記載の分析装置は、請求項１記載の分析用デバイス駆動装置を備え、分析用デバイスの内部の試料液と試薬との反応物にアクセスして特定成分を読み取るように構成したことを特徴とする。
【発明の効果】
【００１４】
本発明の分析用デバイス駆動装置とこれを備えた分析装置によれば、運転中に作用する外力によって前記クランパが許容値を超えて浮き上がろうとしても、回転中の前記クランパの軸心上にストッパー手段が当接するように構成したので、前記分析用デバイスが前記ターンテーブルから外れることがない。
【発明を実施するための最良の形態】
【００１５】
本発明の各実施の形態を図１〜図１４に基づいて説明する。
（実施の形態１）
図１〜図８は本発明の分析用デバイス駆動装置を備えた分析装置を示す。
【００１６】
図１は本発明の実施の形態における分析用デバイス１を分析装置の分析用デバイス駆動装置のターンテーブル１０１にセットした状態を示し、図２（ａ）（ｂ）は分析用デバイス１の保護キャップ２を閉じた状態と開いた状態を示している。図３は分析用デバイス１のターンテーブル１０１と接触している面を上側にして分解した状態を示している。
【００１７】
分析用デバイス１は、試料液飛散防止用の保護キャップ２と、微細な凹凸形状を表面に有するマイクロチャネル構造が形成されたベース基板３と、ベース基板３の表面を覆うカバー基板４と、希釈液を保持している希釈ユニット５などの部品で構成されている。
【００１８】
ベース基板３とカバー基板４は、希釈ユニット５などを内部にセットした状態で接合され、この接合された状態のものに保護キャップ２が取り付けられている。保護キャップ２の片側は、ベース基板３とカバー基板４に形成された軸６ａ，６ｂに係合して開閉できるように枢支されている。
【００１９】
ベース基板３の上面に形成されている数個の凹部の開口をカバー基板４で覆うことによって、複数の収容エリアとその収容エリアの間を接続する流路などが形成されている（図３を参照）。収容エリアのうちの必要なものには各種の分析に必要な試薬が予め担持されている。
【００２０】
この分析用デバイス１は、注入口７から試料液、例えば血液などの溶液を採取することができ、保護キャップ２を閉めて分析装置のターンテーブル１０１にセットすることで、試料液の成分分析を行うことができる。８はターンテーブル１０１の回転中の軸心を示している。
【００２１】
分析用デバイス１は、注入口７から内部に取り込んだ試料液を、注入口７よりも内周にある前記軸心８を中心に分析用デバイス１を回転させて発生する遠心力と、分析用デバイス１内に設けられた毛細管流路の毛細管力を用いて、分析用デバイス１の内部で溶液を移送していくよう構成されており、保護キャップ２は注入口７の付近に付着した試料液が、分析中に遠心力によって外部へ飛散するのを防止するために取り付けられている。
【００２２】
前記分析装置は、分析用デバイス１を透過した光を測定する光学的測定方法によって試料液の分析を行うため、ベース基板３およびカバー基板４の材料としては、ＰＣ、ＰＭＭＡ、ＡＳ、ＭＳなどの透明性が高い樹脂が望ましい。
【００２３】
ベース基板３とカバー基板４との接合は、前記収容エリアに担持された試薬の反応活性に影響を与えにくい方法が望ましく、接合時に反応性のガスや溶剤が出にくい超音波溶着やレーザー溶着などが望ましい。
【００２４】
図５〜図７は分析用デバイス１がセットされる分析装置を示す。
図５において、分析用デバイス１は、分析装置１００の前記軸心８を中心に回転するターンテーブル１０１の上に、ベース基板３とカバー基板４のうちのカバー基板４の側を下にして装着され、開閉蓋１０３を閉じた状態で分析が行われる。図１において開閉蓋１０３は支持軸１１４の回りに回動して開閉できる。
【００２５】
ターンテーブル１０１の上面には図５に示すように溝１０２が形成されており、分析用デバイス１をターンテーブル１０１にセットした状態では分析用デバイス１のカバー基板４に形成された係合部１５と保護キャップ２に形成された係合部１６が溝１０２に係合してこれを収容している。
【００２６】
図７に示すように、この分析装置１００は、ターンテーブル１０１を回転させるための回転駆動手段１０６と、分析用デバイス１内の溶液を光学的に測定する光学測定手段１０９と、ターンテーブル１０１の回転速度や回転方向、および光学測定手段の測定タイミングなどを制御する制御手段１０８と、光学測定手段１０９によって得られた信号を処理し測定結果を演算する演算部１１０と、演算部１１０で得られた結果を表示する表示部１１１とで構成される。
【００２７】
回転駆動手段１０６は、ターンテーブル１０１を介して分析用デバイス１を軸心８の回りに任意の方向に所定の回転速度で回転させるだけではなく、所定の停止位置で軸心８を中心に所定の振幅範囲、周期で左右に往復運動をさせて分析用デバイス１を揺動させることができるように構成されている。ここでは回転駆動手段１０６としてモータ１０４を使用してターンテーブル１０１を軸心８の回りに回転させている。
【００２８】
なお、ここでは分析用デバイス１の回転動作と揺動動作を１つの回転駆動手段１０６で行う構成としているが、回転駆動手段１０６の負荷を軽減させるために、揺動動作用の駆動手段を別に設けてもかまわない。具体的には、ターンテーブル１０１の上にセットした分析用デバイス１に対して、モータ１０４とは別に用意したバイブレーションモータなどの加震手段を、直接または間接的に接触させることによって分析用デバイス１を揺動させて分析用デバイス１内の溶液に慣性力を付与する。
【００２９】
光学測定手段１０９には、分析用デバイス１の測定部にレーザー光を照射するレーザー光源１１２と、レーザー光源１１２から照射されたレーザー光のうち、分析用デバイス１を通過した透過光の光量を検出するフォトディテクタ１１３とを備えている。
【００３０】
開閉蓋１０３には、保持板１１５を介してクランパ１１６が保持されている。また、開閉蓋１０３には、クランパ１１６を押圧する付勢手段としての板バネ１１７が設けられており、ターンテーブル１０１に分析用デバイス１をセットした後に、ターンテーブル１０１の回転させる前に分析装置の開閉蓋１０３を図１に実線で示すように閉じると、ターンテーブル１０１の回転の軸心８の軸上で板バネ１１７がクランパ１１６に接触して、板バネ１１７の付勢力によってクランパ１１６がターンテーブル１０１の側に押し出されて、クランパ１１６とターンテーブル１０１とで分析用デバイス１を挟持して、分析用デバイス１と一体にターンテーブル１０１が高速回転する。
【００３１】
このときに、ターンテーブル１０１の溝１０２と分析用デバイス１の係合部１５との係合深さをＸ１とした場合、高速回転駆動中の分析用デバイス１がＸ１を超えてターンテーブル１０１から浮き上がらないように前記板バネ１１７の付勢力によってターンテーブル１０１の側に付勢されている。さらに、この実施の形態では、前記軸心８の上の位置での開閉蓋１０３と板バネ１１７との隙間１１８が、Ｘ１以下になる高さの凸部１１９が開閉蓋１０３の内面に形成されている。
【００３２】
このように開閉蓋１０３にストッパー手段としての凸部１１９を、板バネ１１７との間に隙間１１８を設けて対向させたため、適正な付勢力が板バネ１１７から得られている場合には、凸部１１９と板バネ１１７とは接触するようなことがなく、クランパ１１６は板バネ１１７との軸心８上での点接触だけで高速回転する。
【００３３】
一方、運転中に外力が作用して、許容値であるＸ１を超えてターンテーブル１０１から分析用デバイス１が浮き上がろうとしても、クランパ１１６が板バネ１１７を介して凸部１１９に当接して分析用デバイス１がターンテーブル１０１から外れることを確実に規制できる。この場合の板バネ１１７と凸部１１９との接触点も、軸心８上での点接触だけであって、長期間にわたって安定した動作を期待できる。
【００３４】
また、セットされた分析用デバイス１と対向して配置されている保持板１１５を、通電によって発熱するヒータープレートで構成したり、保持板１１５にヒータで間接的に加熱することによって、分析時間の短縮の実現、ならびに別の場所に加熱手段を配置する必要がなく分析装置の小型化を実現できる。
【００３５】
前記Ｘ１を図８（ａ）（ｂ）によって詳しく説明する。
図８（ａ）は分析用デバイス１をターンテーブル１０１に載置する直前を示しており、ターンテーブル１０１の溝１０２に分析用デバイス１をセットし易いように、ターンテーブル１０１に形成された溝１０２の開口部には外周側に向かって大径となる傾きの斜面１２０が形成され、分析用デバイス１のカバー基板４の係合部１５ならびに保護キャップ２に形成された係合部１６の最外周部の角部が無くなるようにそれぞれ面取り部１２１，１２２に加工されている。
【００３６】
ターンテーブル１０１の溝１０２に対して少し横ずれした位置から分析用デバイス１をセットした場合であっても、ターンテーブル１０１の斜面１２０に分析用デバイス１の面取り部１２１，１２２が当接して、ターンテーブル１０１の斜面１２０によってガイドされながら分析用デバイス１の係合部１５，１６が溝１０２に図８（ｂ）に示すように係合する。
【００３７】
このとき、前記Ｘ１はターンテーブル１０１の斜面１２０の最小径の位置Ｐ１と、分析用デバイス１の面取り部１２１，１２２の基端位置Ｐ２との距離であって、運転中に外力が作用して分析用デバイス１がターンテーブル１０１からＸ１だけ浮き上がった状態では、分析用デバイス１の面取り部１２１，１２２がターンテーブル１０１の斜面１２０に乗り上げて、遠心力によって分析用デバイス１がターンテーブル１０１から外れてしまう事態が発生し、クランパ１１６が板バネ１１７の付勢力に抗してターンテーブル１０１から許容値のＸ１を超えて浮き上がらないように維持することが必要である。
【００３８】
（実施の形態２）
実施の形態１では開閉蓋１０３にストッパー手段としての凸部１１９を形成して分析用デバイス１のターンテーブル１０１からの浮き上がりを規制したが、図９に示した実施の形態２では、支持板１１５のクランパ１１６との対向面１１５Ａとクランパ１１６との隙間１２３が、許容値のＸ１未満に設定されている。その他の構成は図１に示した実施の形態１と同じである。
【００３９】
保持板１１５の中央には、クランパ１１６の大径部１１６Ａならびに小径部１１６Ｂよりも小径の孔１１５Ｂが形成されている。クランパ１１６は大径部１１６Ａと小径部１１６Ｂとの間の胴部１１６Ｃを孔１１５Ｂに挿通して支持されている。
【００４０】
（実施の形態３）
実施の形態２ではクランパ１１６を保持板１１５の下面に直接に当接させて外力による分析用デバイス１のターンテーブル１０１からの浮き上がりを規制したが、図１０に示す実施の形態３では、前記保持板１１５の前記ターンテーブル１０１の側の面で前記孔１１５Ｂの周囲に、クランパ１１６に向かって突出した突部１２４が形成されており、突部１２４とクランパ１１６との隙間１２５が、許容値のＸ１未満に設定されている。その他の構成は図１に示した実施の形態１と同じである。
【００４１】
具体的には、突部１２４はＰＯＭ（ポリアセタール）、ナイロン等の保持板１１５よりも摩擦・磨耗特性に優れた材料で形成されている。
（実施の形態４）
実施の形態２ではクランパ１１６を保持板１１５の下面に直接に当接させて外力による分析用デバイス１のターンテーブル１０１からの浮き上がりを規制したが、図１１に示す実施の形態４では、クランパ１１６の小径部１１６Ｂの前記保持板１１５との対向面に突部１２６を形成し、突部１２６と保持板１１５との対向面の隙間１２７が、許容値のＸ１未満に設定されている。その他の構成は図１に示した実施の形態１と同じである。
【００４２】
具体的には、突部１２６は小径部１１６Ｂと一体に、ＰＯＭ（ポリアセタール）、ナイロン等の保持板１１５よりも摩擦・磨耗特性に優れた材料で形成されている。
（実施の形態５）
上記の各実施の形態では付勢手段が板バネ１１７であったが、コイルバネを使用して構成することもできる。
【００４３】
図１２は図９の変形例を示す。先の実施の形態と同様のものには同一の符号を付けて説明する。
この実施の形態５ではクランパ１１６が、開閉蓋１１３に植設された軸１２８の先端にベアリング１２９を介して取り付けられている。１３０は抜け止め用のリングで、軸１２８からベアリング１２９が脱落しないように設けられている。開閉蓋１１３と片面が前記ベアリング１２９の内周側に当設したワッシャ１３１との間にはコイルバネ１３２が介装されており、開閉蓋１１３を仮想線位置のように開いた状態では、クランパ１１６はコイルバネ１３２によって軸１２８の先端のリング１３０に押し付けられている。なお、コイルバネ１３２の内側には軸１２８挿通されている。
【００４４】
開閉蓋１１３を実線位置のように閉じてターンテーブル１０１とクランパ１１６とで分析用デバイス１を挟持した状態では、コイルバネ１３２の付勢に抗してベアリング１２９がリング１３０から離れている。したがって、クランパ１１６はターンテーブル１０１にセットされた分析用デバイス１にコイルバネ１３２の付勢力によって押し付けられて保持されている。
【００４５】
一方、分析用デバイス１がターンテーブル１０１から許容値であるＸ１を超えて浮き上がろうとしても、開閉蓋１０３と一体に成形した突部１３３と前記ワッシャ１３１との通常運転中の隙間１３４が前記許容値のＸ１未満に設定されているため、運転中に外力が作用してターンテーブル１０１から分析用デバイス１が浮き上がると、ワッシャ１３１が開閉蓋１０３の突部１３３に先に衝突して、ターンテーブル１０１から分析用デバイス１が外れるような事態の発生を回避できる。なお、突部１３３は軸１２８の回りを取り囲むように開閉蓋１０３に形成されている。
【００４６】
（実施の形態６）
上記の各実施の形態では開閉蓋１０３を開放してターンテーブル１０１に分析用デバイス１を載置し、その状態で開閉蓋１０３を閉じることによって、ターンテーブル１０１とクランパ１１６とで分析用デバイス１を挟持したが、分析用デバイス１を図１３と図１４に示すようにセンターローディング方式でターンテーブル１０１とクランパ１１６との間に分析用デバイス１を挟持させる場合にも同様に実施が可能である。
【００４７】
この実施の形態では、分析装置の筐体１３７のフロントパネル１３５に形成された挿入口１３６から分析用デバイス１の始端を差し込むと、挿入口１３６から分析用デバイス１が差し込まれたことを検出したハンドリング手段（図示せず）が、挿入口１３６に挿入された分析用デバイス１を降下位置で待機中のターンテーブル１０１にセットする。
【００４８】
なお、前記ハンドリング手段の構成としてはフロントローディング式光ディスクドライブ装置に見られるものと同一の構成であって、更に具体的には、特開平１０−２７４０７号公報などにこの種の構成が記載されている。
【００４９】
ハンドリング手段によって図１４（ａ）に示すように分析用デバイス１がターンテーブル１０１にセットし終わると、次いでターンテーブル１０１が図１４（ｂ）に示すように上昇してクランパ１１６とで分析用デバイス１を挟持する。その他の構成は実施の形態１と同じである。
【００５０】
なお、実施の形態２から実施の形態５においても同様にフロントローディング式で実施することができる。
【産業上の利用可能性】
【００５１】
本発明は、生物などから採取した液体の成分分析に使用する分析用デバイスの移送制御手段として有用である。
【図面の簡単な説明】
【００５２】
【図１】本発明の実施の形態１において分析用デバイスを分析装置にセットした状態の断面図
【図２】同実施の形態の分析用デバイスの保護キャップを閉じた状態と開いた状態の外観斜視図
【図３】同実施の形態の分析用デバイスの分解斜視図
【図４】同実施の形態の保護キャップを閉じた状態の分析用デバイスを背面から見た斜視図
【図５】同実施の形態の分析用デバイスを分析装置にセットする直前の斜視図
【図６】同実施の形態の分析装置の開閉蓋を開放した状態の斜視図
【図７】同実施の形態の分析装置の信号処理回路の構成図
【図８】分析用デバイスをターンテーブルへセットする直前とセットした状態の拡大断面図
【図９】本発明の実施の形態２において分析用デバイスを分析装置にセットした状態の断面図
【図１０】本発明の実施の形態３において分析用デバイスを分析装置にセットした状態の断面図
【図１１】本発明の実施の形態４において分析用デバイスを分析装置にセットした状態の断面図
【図１２】本発明の実施の形態５において分析用デバイスを分析装置にセットした状態の断面図
【図１３】本発明の実施の形態６において分析用デバイスの始端を分析装置の挿入口に差し込んだ状態の断面図
【図１４】同実施の形態の分析用デバイスを挟持する過程におけるターテーブル上昇の前後の断面図
【図１５】特許文献１の分析用デバイスの一部切り欠き斜視図
【図１６】分析装置の開閉蓋を開放した状態の斜視図
【図１７】分析用デバイスを分析用デバイス駆動装置にセットした状態の断面図
【符号の説明】
【００５３】
１    分析用デバイス
２    保護キャップ
３    ベース基板
４    カバー基板
５    希釈ユニット
６ａ，６ｂ    軸
７    注入口
８    ターンテーブル１０１の回転中の軸心
１５，１６    係合部
１００    分析装置
１０１  ターンテーブル
１０２    溝
１０３    開閉蓋
１０４    モータ（回転駆動手段）
１０６    回転駆動手段
１０８    制御手段
１０９    光学測定手段
１１０    演算部
１１１    表示部
１１２    レーザー光源
１１３    フォトディテクタ
１１４    開閉蓋１０３の支持軸
１１５    保持板
１１５Ａ    支持板のクランパとの対向面
１１５Ｂ    支持板のクランパが挿通される孔
１１６    クランパ
１１６Ａ    大径部
１１６Ｂ    小径部
１１６Ｃ    胴部
１１７    板バネ（付勢手段）
１１８，１２３，１２５    隙間
１１９    凸部（ストッパー手段）
１２０    斜面
１２１，１２２    面取り部
１２４，１２６    突部
１２７    隙間
１２８    軸
１２９    ベアリング
１３０    抜け止め用のリング
１３１    ワッシャ
１３２    コイルバネ
１３３    突部
１３４    隙間
１３５    フロントパネル
１３６    挿入口
１３７    分析装置の筐体
Ｘ１    溝１０２と係合部１５との係合深さ（許容値）
【図１】
0005183255.tif 000002
【図２】
0005183255.tif 000003
【図３】
0005183255.tif 000004
【図４】
0005183255.tif 000005
【図５】
0005183255.tif 000006
【図６】
0005183255.tif 000007
【図７】
0005183255.tif 000008
【図８】
0005183255.tif 000009
【図９】
0005183255.tif 000010
【図１０】
0005183255.tif 000011
【図１１】
0005183255.tif 000012
【図１２】
0005183255.tif 000013
【図１３】
0005183255.tif 000014
【図１４】
0005183255.tif 000015
【図１５】
0005183255.tif 000016
【図１６】
0005183255.tif 000017
【図１７】
0005183255.tif 000018